【手続補正書】
【提出日】平成18年9月20日(2006.9.20)
【手続補正１】
【補正対象書類名】明細書
【補正対象項目名】特許請求の範囲
【補正方法】変更
【補正の内容】
【特許請求の範囲】
【請求項１】
第一の支持体と、
該第一の支持体の表面に設けられた第一の接着剤層と、
該第一の接着剤層の表面に任意の形状に敷設されたマイクロ流体システムの流路層として機能する中空フィラメント
とを備えることを特徴とするマイクロ流体システム用支持ユニット。
【請求項２】
第一の支持体と、
該第一の支持体の表面に設けられた第一の接着剤層と、
該第一の接着剤層の表面に任意の形状に敷設され、それぞれがマイクロ流体システムの複数の流路層として機能する複数の中空フィラメントからなる第一の中空フィラメント群
とを備えることを特徴とするマイクロ流体システム用支持ユニット。
【請求項３】
前記第一の中空フィラメント群の表面に設けられた第二の接着剤層と、
該第二の接着剤層の表面に設けられた第二の支持体
とを更に備えることを特徴とする請求項２に記載のマイクロ流体システム用支持ユニット。
【請求項４】
前記第一の接着剤の表面において、前記第一の中空フィラメント群に互いに交差する方向に敷設され、前記マイクロ流体システムの他の複数の流路層として機能する、複数の中空フィラメントからなる第二の中空フィラメント群を更に備えることを特徴とする請求項２又は３に記載のマイクロ流体システム用支持ユニット。
【請求項５】
前記複数の中空フィラメントの一部が、前記第一の支持体から露出していることを特徴とする請求項２又は３に記載のマイクロ流体システム用支持ユニット。
【請求項６】
前記複数の中空フィラメントの少なくとも１本の一部に金属膜が形成されていることを特徴とする請求項２又は３に記載のマイクロ流体システム用支持ユニット。
【請求項７】
前記複数の中空フィラメントの少なくとも１本の一部が、光透過性の材質で形成された光透過部を備えることを特徴とする請求項２又は３に記載のマイクロ流体システム用支持ユニット。
【請求項８】
第一の支持体と、
該第一の支持体の表面に設けられた第一の接着剤層と、
該第一の接着剤層の表面に敷設された複数の中空フィラメントと、
前記第一の接着剤層と前記中空フィラメント上に設けられた第二の接着剤層と、
該第二の接着剤層の表面に設けられた第二の支持体と、
前記第一の接着剤層と前記第二の接着剤層に設けられ、前記中空フィラメントの経路と連通する接続する中継部
とを備えることを特徴とするマイクロ流体システム用支持ユニット。
【請求項９】
前記中継部は前記第二の支持体の一部を含むことを特徴とする請求項８に記載のマイクロ流体システム用支持ユニット。
【請求項１０】
第一の支持体の表面に、第一の接着剤層を形成するステップと、
該第一の接着剤層の表面に中空フィラメントを敷設するステップ
とを含むことを特徴とするマイクロ流体システム用支持ユニットの製造方法。
【請求項１１】
第一の支持体の表面に、第一の接着剤層を形成するステップと、
該第一の接着剤層の表面に複数の中空フィラメントからなる第一の中空フィラメント群を敷設するステップ
とを含むことを特徴とするマイクロ流体システム用支持ユニットの製造方法。
【請求項１２】
前記第一の接着剤層を形成するステップと、前記第一の中空フィラメント群を敷設するステップとの間に、
前記第一の接着剤層の表面の中空フィラメントを露出させる箇所に離形層を設けるステップと、
前記第一の支持体にスリットを設けるステップ
とを更に含み、前記第一の中空フィラメント群は前記一対の離形層の双方の表面に接して敷設されることを特徴とする請求項１１に記載のマイクロ流体システム用支持ユニットの製造方法。
【請求項１３】
前記第一の中空フィラメント群を敷設するステップの後、前記第一の接着剤の表面において、前記第一の中空フィラメント群に交差する方向に複数の中空フィラメントからなる第二の中空フィラメント群を敷設するステップを更に含むことを特徴とする請求項１１又は１２に記載のマイクロ流体システム用支持ユニットの製造方法。
【請求項１４】
前記第一の中空フィラメント群を敷設するステップの後、
前記第一の中空フィラメント群の表面に、第二の接着剤層を形成するステップと、
該第二の接着剤層の表面に第二の支持体を接着するステップ
とを更に含むことを特徴とする請求項１１又は１２に記載のマイクロ流体システム用支持ユニットの製造方法。
【請求項１５】
第一の支持体の表面に、第一の接着剤層を形成するステップと、
前記第一の接着剤層の表面に複数の中空フィラメントを敷設するステップと、
前記第一の接着剤層と前記中空フィラメント上に第二の接着剤層を形成するステップと、
前記第一の接着剤層及び前記第二の接着剤層に前記中空フィラメントと連通する中継部を形成するステップと、
前記第二の接着剤層の表面に第二の支持体を接着するステップ
とを含むことを特徴とするマイクロ流体システム用支持ユニットの製造方法。
【請求項１６】
前記第一の接着剤層及び前記第二の前記接着剤層に中継部を形成するステップは、更に前記第二の支持体も前記中継部の一部となるように形成することを含むことを特徴とする請求項１５に記載のマイクロ流体システム用支持ユニットの製造方法。
【請求項１７】
前記複数の中空フィラメントの少なくとも１本の一部が、光透過性の材質で形成されたことを特徴とする請求項２又は３に記載のマイクロ流体システム用支持ユニット。
【請求項１８】
前記中空フィラメントの敷設形状は、前記第一の接着剤層により固定されることを特徴とする請求項１，２，又は８に記載のマイクロ流体システム用支持ユニット。
【請求項１９】
前記中空フィラメントは、前記第一の接着剤層に埋め込まれた状態で接着されることを特徴とする請求項１，２，又は８に記載のマイクロ流体システム用支持ユニット。
【請求項２０】
前記中空フィラメントは、前記第二の接着剤層に埋め込まれた状態で接着されることを特徴とする請求項８に記載のマイクロ流体システム用支持ユニット。
【請求項２１】
前記第一の接着剤層と前記第二の接着剤層が接着されていることを特徴とする請求項８に記載のマイクロ流体システム用支持ユニット。
【請求項２２】
前記第一の接着剤層と前記第二の接着剤層との間の前記中空フィラメントの周囲に空隙があることを特徴とする請求項８に記載のマイクロ流体システム用支持ユニット。
【請求項２３】
前記第一の支持体の表面に、端子又は回路が形成されることを特徴とする請求項１，２，又は８に記載のマイクロ流体システム用支持ユニット。
【請求項２４】
前記第一の支持体の表面に、マイクロマシン、発熱素子、圧電素子、センサー、電子部品、光部品から選ばれる少なくとも一つが実装されることを特徴とする請求項１，２，又は８に記載のマイクロ流体システム用支持ユニット。
【手続補正２】
【補正対象書類名】明細書
【補正対象項目名】００１１
【補正方法】変更
【補正の内容】
【００１１】
【課題を解決するための手段】
上記目的を達成するために、本発明の第１の特徴は、（イ）第一の支持体と、（ロ）この第一の支持体の表面に設けられた第一の接着剤層と、（ハ）この第一の接着剤層の表面に任意の形状に敷設されたマイクロ流体システムの流路層として機能する中空フィラメントとを備えるマイクロ流体システム用支持ユニットであることを要旨とする。
【手続補正３】
【補正対象書類名】明細書
【補正対象項目名】００１２
【補正方法】変更
【補正の内容】
【００１２】
本発明の第２の特徴は、（イ）第一の支持体と、（ロ）この第一の支持体の表面に設けられた第一の接着剤層と、（ハ）この第一の接着剤層の表面に任意の形状に敷設され、それぞれがマイクロ流体システムの複数の流路層として機能する複数の中空フィラメントからなる第一の中空フィラメント群とを備えるマイクロ流体システム用支持ユニットであることを要旨とする。
【手続補正４】
【補正対象書類名】明細書
【補正対象項目名】００１３
【補正方法】変更
【補正の内容】
【００１３】
本発明の第３の特徴は、（イ）第一の支持体と、（ロ）この第一の支持体の表面に設けられた第一の接着剤層と、（ハ）この第一の接着剤層の表面に敷設された複数の中空フィラメントと、（ニ）第一の接着剤層と中空フィラメント上に設けられた第二の接着剤層と、（ホ）この第二の接着剤層の表面に設けられた第二の支持体と、（へ）第一の接着剤層と第二の接着剤層に設けられ、中空フィラメントの経路と連通する接続する中継部とを備えるマイクロ流体システム用支持ユニットであることを要旨とする。
【手続補正５】
【補正対象書類名】明細書
【補正対象項目名】００１４
【補正方法】変更
【補正の内容】
【００１４】
本発明の第１，２，３の特徴においては、この中空フィラメンに交差する形で更に中空フィラメントを立体的に敷設することが出来るため、精度が良く、製造が容易で、且つ反応や分析のステップ数や量を制限しないｃｍ単位の長い距離のマイクロ流体システム用支持ユニットを提供することが出来る。更に、本発明の第１の特徴によれば、複雑な流体回路であっても場所を要しない小型マイクロ流体システム用支持ユニットを提供することが出来るため、マイクロ流体システム自体のコンパクト化を図ることも出来る。
【手続補正６】
【補正対象書類名】明細書
【補正対象項目名】００１５
【補正方法】変更
【補正の内容】
【００１５】
本発明の第４の特徴は、（イ）第一の支持体の表面に、第一の接着剤層を形成するステップと、（ロ）この第一の接着剤層の表面に中空フィラメントを敷設するステップとを含むマイクロ流体システム用支持ユニットの製造方法であることを要旨とする。
【手続補正７】
【補正対象書類名】明細書
【補正対象項目名】００１６
【補正方法】変更
【補正の内容】
【００１６】
本発明の第４の特徴によれば、複雑な流体回路を形成できる小型のマイクロ流体システム用支持ユニットの製造方法を提供することが出来る。
【手続補正８】
【補正対象書類名】明細書
【補正対象項目名】００１７
【補正方法】変更
【補正の内容】
【００１７】
本発明の第５の特徴は、（イ）第一の支持体の表面に、第一の接着剤層を形成するステップと、（ロ）この第一の接着剤層の表面に複数の中空フィラメントからなる第一の中空フィラメント群を敷設するステップとを含むマイクロ流体システム用支持ユニットの製造方法であることを要旨とする。
【手続補正９】
【補正対象書類名】明細書
【補正対象項目名】００１８
【補正方法】変更
【補正の内容】
【００１８】
本発明の第５の特徴によれば、複雑な流体回路を形成できる小型のマイクロ流体システム用支持ユニットの製造方法を提供することが出来る。